(57)【要約】【課題】植物用紫外光照射装置において、光源からの紫外光を植物にだけ効率よく照射できるようにする。【解決手段】植物用紫外光照射装置１は、植物Ｐに対して紫外光を含む光を照射する光源２と、光源２からの光を植物Ｐの方向に反射する半楕円筒の反射板３と、光源２から反射板３に反射されずに植物Ｐに直接照射される光の光路上に配置される紫外光遮断性を有した光学部材４とを備えている。光源２から反射板３に反射されずに植物Ｐに直接照射される光に紫外光が含まれないようにして、反射板３により反射される紫外光のみを植物Ｐに配光するので、紫外光が植物Ｐに向けて広角に配光されることがない。【選択図】図２
2011024504.tif 000002
【特許請求の範囲】
【請求項１】
植物に対して紫外光を含む光を照射する光源を有した植物用紫外光照射装置であって、
前記光源からの光を植物の方向に反射する反射板を備え、
前記光源から前記反射板に反射されずに植物に直接照射される光の光路上に、紫外光遮断性を有した部材、又は紫外光を可視光に変換する部材のいずれか一方が配置されることを特徴とする植物用紫外光照射装置。
【発明の詳細な説明】
【技術分野】
【０００１】
本発明は、植物に対して紫外光を含む光を照射する光源を有した植物用紫外光照射装置に関する。
【背景技術】
【０００２】
従来から、圃場において果樹や野菜、花、きのこ等を栽培する際、これらの栽培植物に紫外光を照射することにより、灰色カビ病やうどんこ病、ベト病、炭そ病等の植物病害を防除することが知られている。この種の病害防除のための構成として、光源から放射される紫外光のＵＢ−Ｂ成分（波長域２８０〜３４０ｎｍ）やＵＢ−Ａ成分（波長域３４０〜３８０ｎｍ）等を光制御して、植物病害の原因となる糸状菌の胞子形成や菌糸成長を抑制しようとするものがある（例えば、特許文献１参照）。
【０００３】
また、植物の光合成に必要となる可視光を紫外光に併せて照射することによって、病害防除と共に植物の育成促進を図る技術が知られている（例えば、特許文献２及び３参照）。
【先行技術文献】
【特許文献】
【０００４】
【特許文献１】特開２００５−３２８７３４号公報
【特許文献２】特開２００１−２８９４７号公報
【特許文献３】特開２００３−３３９２３６号公報
【発明の概要】
【発明が解決しようとする課題】
【０００５】
ところで、上記のような病害防除の構成においては、植物に対する紫外光の照射効率を向上させるため、紫外光を放射する光源の一部を反射板で覆い、光源からの紫外光を植物の方向に集光させるものが多い。このような場合、反射板で反射される紫外光は植物に向けて狭角に配光されるが、反射板で反射されない紫外光は植物に向けて広角に配光されることがあり、その結果、圃場に居る作業者に紫外光を照射する虞があった。
【０００６】
本発明は、上記問題を解決するためになされたものであり、光源からの紫外光を植物にだけ効率よく照射することができる植物用紫外光照射装置を提供することを目的とする。
【課題を解決するための手段】
【０００７】
上記目的を達成するために請求項１の発明は、植物に対して紫外光を含む光を照射する光源を有した植物用紫外光照射装置であって、前記光源からの光を植物の方向に反射する反射板を備え、前記光源から前記反射板に反射されずに植物に直接照射される光の光路上に、紫外光遮断性を有した部材、又は紫外光を可視光に変換する部材のいずれか一方が配置されるものである。
【発明の効果】
【０００８】
請求項１の発明によれば、光源から反射板に反射されずに植物に直接照射される光に紫外光が含まれないようにして、反射板により反射される紫外光のみを植物に配光するので、紫外光が植物に向けて広角に配光されることがなく、紫外光を植物にだけ効率よく照射できる。また、紫外光を可視光に変換する部材を本装置に配した場合、又は光源からの光に可視光を含めた場合、植物に対して可視光を広範囲に照射できるので、植物の光合成を促進して植物生育効果を高めることができる。
【図面の簡単な説明】
【０００９】
【図１】本発明の第１の実施形態に係る植物用紫外光照射装置の据付け配置図。
【図２】上記植物用紫外光照射装置の側断面図。
【図３】本発明の第２の実施形態に係る植物用紫外光照射装置の側断面図。
【発明を実施するための形態】
【００１０】
（第１の実施形態）
本発明の第１の実施形態に係る植物用紫外光照射装置について図１及び図２を参照して説明する。図１、図２は本実施形態に係る植物用紫外光照射装置（以下、本装置という）１の構成を示す。本装置１は、ハウス圃場１０で栽培される植物Ｐに発生する植物病害を防除するため植物Ｐに光照射するものであって、ハウス圃場１０の天井部分に複数設置されている。ここで、上記の植物病害とは、灰色カビ病やうどんこ病、ベト病、炭そ病等である。本装置１は、植物Ｐに対して紫外光を含む光を照射する光源２と、光源２からの光を植物Ｐの方向に反射する半楕円筒形の反射板３と、反射板３の半楕円筒内方側において光源２と対向する紫外光遮断性を有した光学部材４とを備えている。
【００１１】
光源２は、ＵＶ−Ｂ領域（波長域が２８０〜３４０ｎｍ）と可視領域（波長域が３８０〜７５０ｎｍ）に発光ピークを有する発光管から成り、反射板３の半楕円筒内方側に横向きして設けられている。光源２の種類は、特に限定されるものでなく、例えば、蛍光灯や白熱灯、高輝度放電灯、発光ダイオード、有機ＥＬ等である。
【００１２】
反射板３は、光源２をその上方から覆う半楕円筒内方面が反射面となっており、光源２から放射される光を高効率で反射する。なお、反射板３の形状は、半楕円筒に限定されず、例えば、断面の外形が真円又は楕円の円弧となる形状であっても構わない。また、反射板３は、軽量でありながら高い反射率を実現するため、例えば、アルマイト処理、蒸着めっき処理、又は研磨加工等が施されたアルミニウムにより構成される。なお、反射板３は、例えば、銀やアルミニウムの蒸着処理が施された鉄、反射率を高める塗装が施された鉄、さらに、銀やアルミニウム等の蒸着処理が施されたフィルム状の高反射シートが貼付された金属、ガラス又は樹脂等で構成されていてもよい。また、反射板３は、耐腐食性を備えさせるため、例えば、ステンレスで構成されていても構わない。
【００１３】
光学部材４は、例えば、ガラス又は樹脂等の透明材料に酸化チタン又は酸化亜鉛等の微粒子をドープした紫外光遮光フィルタで構成され、光源２から反射板３に反射されずに植物Ｐに直接照射される光の光路上に配置される。光学部材４は、光源２を下方から覆う断面円弧状の外形とされ、その両端縁が光源２の中心と反射板３両端縁を結ぶ線上まで延出している。光学部材４の形状は、上記のような円弧形に限定されず、例えば、平板状であってもよい。
【００１４】
上記のように構成された植物用紫外光照射装置１における紫外光及び可視光の光路について説明する。光源２から放射される光には紫外光及び可視光が含まれており、これらの光は反射板３又は光学部材４に向けて進行する。反射板３に向かう紫外光ＬA1は、反射板３で反射されて植物Ｐに向けて狭角に配光される。反射板３向かう可視光ＬA2についても、紫外光ＬA1と同様に配光される。一方で、光学部材４に向かう紫外光ＬB1は、光学部材４によって遮断され、光学部材４に向かう可視光ＬB2は、光学部材４を透過して植物Ｐに向かって広角に配光される。
【００１５】
本実施形態に係る植物用紫外光照射装置１によれば、光源２から反射板３に反射されずに植物Ｐに直接照射される光に紫外光が含まれないようにして、反射板３により反射される紫外光のみを植物Ｐに配光するので、紫外光が植物Ｐに向けて広角に配光されることがなく、紫外光を植物Ｐにだけ効率よく照射できる。また、植物Ｐに対して光源２からの可視光を広範囲に照射できるので、植物Ｐの光合成を促進して植物生育効果を高めることができる。
【００１６】
（第２の実施形態）
本発明の第２の実施形態に係る植物用紫外光照射装置について図３を参照して説明する。図３は本実施形態に係る植物用紫外光照射装置１の構成を示す。本実施形態においては、上述した光学部材の構成が第１の実施形態と相違する。本装置１に備えられる光学部材４は、紫外光を可視光に変換する蛍光物質から成るフィルムで構成されており、光源２の下方外周面に貼付され該部材４の両端縁が光源２の中心と反射板３両端縁を結ぶ直線まで延出している。
【００１７】
このような構成によって、光源２の光学部材４が配されていない部分からは、反射板３によって植物Ｐに向けて狭角に配光される紫外光ＬA1及び可視光ＬA2が放射される。また、光源２の光学部材４が配された部分からは、植物Ｐに向かって広角に配光される可視光ＬB2が放射される。従い、本実施形態に係る植物用紫外光照射装置１についても、上記実施形態と同様の効果が得られる。
【００１８】
なお、本発明は、上記各種実施形態の構成に限られず、発明の趣旨を変更しない範囲で種々の変形が可能である。例えば、紫外光を植物Ｐに対して狭角に配光するものあれば、１つの反射板に対して光源が複数設けられていてもよい。
【符号の説明】
【００１９】
１  植物用紫外光照射装置
２  光源
３  反射板
４  光学部材
Ｐ  植物
【図１】
2011024504.tif 000003
【図２】
2011024504.tif 000004
【図３】
2011024504.tif 000005